(57)【特許請求の範囲】
【請求項１】
発信元および転送先と交換機を介して接続される通信端末装置であって、発信元からの通話を自動的に転送先に転送する無条件転送モードが設定されているときに、交換機から送出される着信転送警告信号（ＴＩＲ）を検出する手段と、前記ＴＩＲ信号が検出されると、発信元および転送先以外の予め登録されている転送報知先に発呼する手段とを設けたことを特徴とする通信端末装置。
【請求項２】
前記転送報知先に発呼してから、前記通信端末装置に無条件転送モードが設定されていることを当該転送報知先に報知することを特徴とする、請求項１に記載の通信端末装置。
【請求項３】
前記ＴＩＲ信号が検出されるとベル音を鳴動させないことを特徴とする、請求項１に記載の通信端末装置。
【発明の詳細な説明】
【０００１】
【発明の属する技術分野】
本発明は、無条件転送モ−ドの設定を確実に伝達すると共に、無条件転送モ−ドが設定されている場合の執務環境を快適にした通信端末装置に関する。
【０００２】
【従来の技術】
ファクシミリ装置においては、コピ−機能を併せ持つ複合機として構成されるものが知られている。このような複合機は、一般にオ−トドキュメントフィ−ダ（ＡＤＦ）や、フラットベッドスキャナ（ＦＢＳ）として機能するフラットベッド型の読み取り用原稿載置台が備え付けられている。
【０００３】
複合機で原稿をコピ−する際には、コピ−部数や原稿の種類（通常の文字や図形のイメ−ジ情報か写真か）に応じた読み取りモ−ド（解像度）を指定してから、スタ−トボタンを押して原稿の読み取りを開始し、指定した部数の記録紙にコピ−プリントしている。
【０００４】
前記複合機等の通信端末装置においては、通話機能を有するものや、発信元から送信される画像を受信して、受信した画像を予め設定されている転送先に転送する機能を有するものが知られている。画像を転送する場合には、発信元から送信された画像を交換機を通して通信端末装置が受信して画像メモリに記憶する。通信端末装置は転送元となって、受信した画像を必要に応じて交換機を通して転送先に転送する。
【０００５】
また、通話機能を有する通信端末装置においては、回線業者がサ−ビスする転送機能を用いて、通信端末装置で着信した発信元からの通話を転送先に転送する構成とすることができる。通信端末装置は、異なる時間に着信した通話をそれぞれ指定された転送先に順次転送する。
【０００６】
通話転送の方式として、無条件転送モ−ドを利用することができる。無条件転送モ−ドは、発信元からの通話があるときに、転送元の電話を呼び出さずに交換機が直接に転送先にこの通話を転送するものである。
【０００７】
このように、無条件転送モ−ドが設定されていると発信元からの通話は自動的に転送先に転送されるが、無条件転送モ−ドを設定した場合には、転送元は発信元とは通話ができない。このため、転送元に対して着信転送警告信号（ＴＩＲ）を送出して、無条件転送モ−ドが設定されていることを報知している。
【０００８】
【発明が解決しようとする課題】
ところで、交換機に無条件転送モ−ドを設定したにも拘らず、利用者が無条件転送モ−ドの設定を失念していることがある。このような場合に、利用者が出先部門に赴いていたり、外出した際には、通信端末装置にＴＩＲ信号が送出されてもこれを確認することはできない。したがって、意図しない通話転送が行われていることに気が付かないという問題があった。
【０００９】
また、無条件転送モ−ドが設定されていると、前記のように２〜３秒間ＴＩＲ信号のベルが鳴動する。このため、利用者が無条件転送モ−ドの設定を知悉している場合には、ＴＩＲ信号のベル音は無用のものであり、執務環境上の問題があった。更に、このＴＩＲ信号のベル音が通常の電話のベル音と誤認されるという問題があった。
【００１０】
本発明は、かかる現状に鑑みてなされたものであり、無条件転送モ−ドの設定を確実に伝達すると共に、無条件転送モ−ドが設定されている場合の執務環境を快適にした通信端末装置の提供を目的とする。
【００１１】
【課題を解決するための手段】
上記目的は、請求項１に係る発明において、通信端末装置を、発信元および転送先と交換機を介して接続される通信端末装置であって、発信元からの通話を自動的に転送先に転送する無条件転送モードが設定されているときに、交換機から送出される着信転送警告信号（ＴＩＲ）を検出する手段と、前記ＴＩＲ信号が検出されると、発信元および転送先以外の予め登録されている転送報知先に発呼する手段とを設けた構成とすることによって達成することができる。
【００１２】
また、請求項２に係る発明は、請求項１に記載の通信端末装置において、前記転送報知先に発呼してから、前記通信端末装置に無条件転送モードが設定されていることを当該転送報知先に報知することを特徴としている。
【００１３】
また、請求項３に係る発明は、請求項１に記載の通信端末装置において、前記ＴＩＲ信号が検出されるとベル音を鳴動させないことを特徴としている。
【００１４】
請求項１に係る発明によれば、無条件転送モードが設定されているときに、交換機から送出される着信転送警告信号（ＴＩＲ）が検出されたことを、発信元および転送先以外の予め登録されている転送報知先に発呼する手段を設けている。このため、利用者が出先部門に赴いていたり外出中であっても、通信端末装置が無条件転送モードの設定になっていることを確実に伝達することができる。
【００１５】
請求項２に係る発明によれば、転送報知先に発呼してから、前記通信端末装置に無条件転送モードが設定されていることを当該転送報知先に報知している。このため、利用者が通信端末装置の近傍に不在の場合でも、通信端末装置に無条件転送モードが設定されていることを明確に認識することができる。
【００１６】
請求項３に係る発明によれば、ＴＩＲ信号を検出したときにはベルを鳴動させないように構成している。このため、執務環境を良好に保つことができる。
【００１７】
【発明の実施の形態】
以下、本発明の実施の形態について図面を参照して説明する。図１は、通話機能を有する通信端末装置を配置した例を示すブロック図である。図１において、１、１ａは発信元、２は交換機、３は転送元の通信端末装置、３ａは出先部門や外出先の電話機、４、５は転送先である。発信元１または１ａから送信された通話を交換機２を通して通信端末装置３で着信して転送先４、５に転送する。
【００１８】
このような通信端末装置３において、回線業者がサ−ビスする転送方式の中で無条件転送モ−ドが設定されると、発信元１、１ａからの通話があるときに、転送元である通信端末装置３の電話を呼び出さずに交換機２が直接に転送先４、５にこの通話を転送する。無条件転送モ−ドが設定されると、前記のように交換機２からＴＩＲ信号が通信端末装置３に送出される。
【００１９】
本発明においては、通信端末装置３にＴＩＲ信号の検出手段を設け、ＴＩＲ信号が検出されると、予め登録されている宛先３ａ（転送報知先）に発呼し、無条件転送モ−ドが設定されていることを伝達するものである。また、ＴＩＲ信号を検出したときには通信端末装置３のベルを鳴動しないように構成している。
【００２０】
図２は本発明の通信端末装置の制御装置を示す概略のブロック図である。次にこのブロック図について説明する。図２において、通信端末装置の制御装置１１は、各種信号やデ−タを処理するための制御部１２を有している。この制御部１２は、例えばＣＰＵ（中央処理装置）により構成されている。
【００２１】
制御部１２には、回線制御部（ＮＣＵ）１４、モデム１５、画像メモリ１６、ＲＡＭ１７、ＲＯＭ１８、表示部１９、操作部２０、読取部２１、記録部２２、音声圧縮メモリ２３、音声コ−デック２６、フックスイッチ２７、画像コ−デック２８、ブザ−２９が接続されている。
【００２２】
回線制御部１４は、図示を省略している交換機を介して外部回線１３と接続され、相手先のダイヤル番号に対応したダイヤルパルスの送出、及び着信を検出する。ＶＦモデム１５は、ＩＴＵ（国際通信連合）のＴ．ｓｖｆ（音声ファクシミリ同時通信端末）勧告に基づいて構成されており、画像と音声の通信を可能としている。なお、ＳＶＦモデム１５に代えて音声機能付のモデムを使用することもできる。
【００２３】
画像メモリ１６は、前記回線制御部１４とＳＶＦモデム１５からなる通信部により送受信される画像を格納する。ＲＡＭ１７は予約送信またはメモリ受信における管理デ−タが格納される。また、転送先の電話番号を予め設定しておく転送テ−ブルや、無条件転送モ−ド設定時にＴＩＲ信号を検出したときに発呼する宛先が格納される。ＲＯＭ１８には通信端末装置の各種動作に必要なデ−タやプログラムが格納される。
【００２４】
陰極線管（ＣＲＴ）や液晶表示器（ＬＣＤ）を用いた表示部１９には、通信端末装置の動作に必要な各種メッセ−ジが表示される。キ−ボ−ドやマウス等からなる操作部２０は通信端末装置の各種動作、停止を指示する。また、原稿の画像の拡大倍率を設定する。
【００２５】
読取部２１は、送信側から送信されてきた原稿の画像を読み取る。両面原稿を読み取る場合は、表面の画像の読み取りと、裏面の画像の読み取りを行なう。記録部２２は送信側から送信されてきた画像を記録紙に記録する。画像の記録は、記録紙の両面に行なう場合と記録紙の片面に行なう場合がある。
【００２６】
前記記録部２２には電子写真方式のプリンタを設け、受信画像や光学読取系で読み取られた画像を、図示しない給紙カセットから供給される定形サイズの記録紙上にコピ−する。なお、プリンタでは各種デ−タを記録紙に記録することができる。音声圧縮メモリ２３には、録音した通話の内容が記憶される。
【００２７】
また、操作部２０には各種キ−が設けられている。例えば、コピ−・ファクシミリ複合機をコピ−モ−ドとファクシミリ通信モ−ドとのいずれの機能を選択するかのコピ−／通信キ−、原稿が文字等のイメ−ジ情報か写真情報かに応じてコピ−の読み取りモ−ド（解像度）を設定する読み取りモ−ドキ−、自動縮小、自動記録紙選択モ−ドを設定するキ−等の各種動作モ−ドを設定するキ−が設けられている。
【００２８】
制御部１２は画像メモリ１６に格納されている画像を読み出し、当該画像を所定の転送先に転送する。また、録音された通話の内容を音声圧縮メモリから２３から読み出して所定の転送先に転送したり、録音されたメッセ−ジを音声圧縮メモリから２３から読み出して発信元に送信することができる。なお、時計部を設けてで現在時刻をカウントし、その出力を用いて受信した原稿にその時点の時刻を印字することも可能である。
【００２９】
ハンドセット２４は、通信端末装置の通話用補助電話器を構成し、Ａ／Ｄ、Ｄ／Ａ変換部２５を介して、デジタル音声信号を符号化・復合化処理する音声コ−デック２６に接続される。フックスイッチ２７は、ハンドセット２４のオンフック、オフフックを検出する。
【００３０】
なお、図２の例では、フックスイッチ２７を外部回線１３に接続して、外部回線１３の電圧を用いてハンドセット２４のオンフック、オフフックを検出しているが、ハンドセット２４自体を検出する機械式スイッチによってもハンドセット２４のオンフック、オフフックを検出することができる。
【００３１】
また、図２の例では、ハンドセット２４をＡ／Ｄ、Ｄ／Ａ変換部２５を介して、音声コ−デック２６に接続しているが、ＮＣＵ１４から通常の信号線でハンドセット２４を接続して、音声信号を外部回線１３に送出する構成としてもよい。
【００３２】
画像コ−デック２８は、読み取り画像を送信相手先装置の復号能力に合わせて符号化（エンコ−ド）する。また、受信画像を復合化（デコ−ド）し、最も圧縮率の高いＭＭＲ方式またはＪＢＩＧ方式で再符号化して画像メモリに格納する。ブザ−２９は、呼び出しアラ−ムを鳴動する。なお、ＴＩＲ信号を検出したときにはブザ−２９は動作しない。
【００３３】
通信端末装置からは、通話時に「後程おかけなおし下さい」等の音声ガイダンスを外部回線１３に送出する。このような音声ガイダンスは、製造時に予めＲＯＭ１８に格納しておくことができる。また、ユ−ザがハンドセット２４からメッセ−ジを吹き込み、音声圧縮メモリ２３に登録しても良い。
【００３４】
図３は、制御装置１１の別の構成を部分的に示すブロック図である。図３の例では、回線制御部１４の具体的構成が示されている。図３において、回線制御部１４は、第１のスイッチＳａと第２のスイッチＳｂが設けられている。また、着信検出部１４ａ、直流電圧およびベル信号発生部１４ｂ、オフフック検出部１４ｃが設けられている。
【００３５】
図３において、前記オフフック検出部１４ｃはハンドセット２４に流れる電流を検出している。スイッチＳｂがａ接点側に投入されているときには、回線１３からの電流を検出する。また、スイッチＳｂがａ接点側に投入されているときには、直流電圧およびベル信号発生部１４ｂからの電流を検出する。前記オフフック検出部１４ｃはハンドセット２４自体を検出する機械式スイッチを用いても良い。また、回線制御部１４から通常の信号線でハンドセット２４を接続して、音声信号を外部回線１３に送出する構成としている。
【００３６】
図３の状態で、発信元の発呼信号の着信を着信検出部１４ａで検出すると、スイッチＳａが閉結され、また、直流電圧およびベル信号発生部１４ｂのベルが鳴動する。着信の報知を図２のブザ−２９が鳴動する構成としても良い。なお、ＴＩＲ信号を検出したときには、ベルやブザ−を鳴動しないようにしている。
【００３７】
利用者がハンドセット２４を持ち上げるとスイッチＳｂは接点ａ側に切り替わり、ハンドセット２４は外部回線１３と接続されて通話可能となる。この際にオフフック検出部１４ｃは、ハンドセット２４のオフフックを検出する。また、スイッチＳａが閉結されると画像と音声がＳＶＦモデム１５を通して送受信が可能となる。
【００３８】
図４は、本発明の処理手順を示すフロ−チャ−トである。次に、このフロ−チャ−トについて説明する。
【００３９】
（１）ステップＳ１で処理プログラムを開始し、ステップＳ２の処理で回線と電話機とを切り離す。次にステップＳ３の処理で着信信号ＣＩを検出したかどうかを判定する。この判定結果がＮＯ（以下、Ｎと略記する）であれば、ステップＳ３の処理の待機状態となる。
【００４０】
（２）ステップＳ３の判定結果がＹＥＳ（以下、Ｙと略記する）であれば、ステップＳ４の処理に移行して着信転送警告信号（ＴＩＲ）が検出されたかどうかを判定する。この判定結果がＮであれば、次にステップＳ５の処理で回線を電話機に接続する。この際にベルが鳴動する。次にステップＳ６の処理でオフフックか、すなわち、ハンドセットを持ち上げたかどうかを判定する。この判定結果がＮであればステップＳ６の処理の待機状態となる。
【００４１】
（３）ハンドセットを持ち上げたことによりステップＳ６の判定結果がＹになると、次にステップＳ７の処理で通話を行い、続いてステップＳ８の処理でオフフックかどうか、すなわち、通話中かどうかを判定する。この判定結果がＹであれば、ステップＳ８の処理を続行し、通話終了でステップＳ８の判定結果がＮになるとステップＳ１４の処理でプログラムを終了する。
【００４２】
（４）前記ステップＳ４の処理において、ＴＩＲ信号を検出してこの判定結果がＹになると、ステップＳ９の処理に移行して、ＴＩＲ信号が終了したかどうかを判定する。ステップＳ９の判定結果がＮであればＴＩＲ信号が終了するまでステップＳ９の処理を続行する。
【００４３】
このように、本発明においては、ステップＳ４の判定結果がＮのとき、すなわち、ＴＩＲ信号を検出しないときには、ステップＳ５の処理でベルを鳴動させる。しかしながら、ステップＳ４の判定結果がＹのとき、すなわち、ＴＩＲ信号を検出したときには、ベルを鳴動させずにステップＳ９の処理に移行している。このため、執務環境を良好に保つことができる。
【００４４】
（５）ＴＩＲ信号が終了するとステップＳ９の判定結果がＹとなり、続いてステップＳ１０の処理に移行して、通信端末装置の記憶部に登録された転送報知番号にダイヤルする。次にステップＳ１１の処理で、相手先（図１の宛先３ａ）からの応答が有るかどうかを判定する。この判定結果がＮであれば、ステップＳ１１のル−プ処理を繰り返す。したがって、利用者が出先部門に赴いていたり外出している場合でも、通信端末装置は現在無条件転送モ−ドが設定されており、発信元からの通話を転送先に転送中であることを伝達することができる。
【００４５】
（６）ステップＳ１１の判定結果がＹになると、次にステップＳ１２の処理で、”無条件転送がありました”のメッセ−ジを音声で通知する。続いてステップＳ１３の処理で回線を断として、ステップＳ１４で処理プログラムを終了する。このように、通信端末装置３に無条件転送モ−ドが設定されていることを音声のメッセ−ジで利用者に報知しているので、明確に認識することができる。
【００４６】
【発明の効果】
以上詳細に説明したように、請求項１に係る発明によれば、無条件転送モードが設定されているときに、交換機から送出される着信転送警告信号（ＴＩＲ）が検出されたことを、発信元および転送先以外の予め登録されている転送報知先に発呼する手段を設けている。このため、利用者が出先部門に赴いていたり外出中であっても、通信端末装置が無条件転送モードの設定になっていることを確実に伝達することができる。
【００４７】
請求項２に係る発明によれば、転送報知先に発呼してから、前記通信端末装置に無条件転送モードが設定されていることを当該転送報知先に報知している。このため、利用者が通信端末装置の近傍に不在の場合でも、通信端末装置に無条件転送モードが設定されていることを明確に認識することができる。
【００４８】
請求項３に係る発明によれば、ＴＩＲ信号を検出したときにはベルを鳴動させないように構成している。このため、執務環境を良好に保つことができる。
【図面の簡単な説明】
【図１】本発明の実施の形態に係る通信端末装置を用いた通話転送の構成例を示すブロック図である。
【図２】通信端末装置の制御装置の構成を示すブロック図である。
【図３】通信端末装置において制御装置の別の構成を部分的に示すブロック図である。
【図４】本発明の処理手順を示すフロ−チャ−トである。
【符号の説明】
１、１ａ  発信元
２    交換機
３    通信端末装置
３ａ  宛先（出先部門や外出先の電話機）
４、５  転送先
１１    制御装置
１２    中央演算制御部（ＣＰＵ）
１３    外部回線
１４    回線制御部（ＮＣＵ）
１５    ＳＶＦモデム
１６    画像メモリ
１９    表示部
２０    操作部
２１    読取部
２２    記録部
【図１】
0003682496.tif 000002
【図２】
0003682496.tif 000003
【図３】
0003682496.tif 000004
【図４】
0003682496.tif 000005